(57)【要約】【課題】宿泊者に応じた情報を提供する。【解決手段】実施形態の情報提供システムは、情報提供装置から宿泊者ごとの端末装置へメッセージを提供する。情報提供装置は、メッセージ特定部と、送信部とを有し、端末装置は、受信部と、表示部とを有する。メッセージ特定部は、予め設定された複数のメッセージの中から、宿泊者ごとに、当該宿泊者の宿泊者情報に対応するメッセージを特定する。送信部は、特定されたメッセージを宿泊者の端末装置へ送信する。受信部は、情報提供装置から送信されたメッセージを受信する。表示部は、受信されたメッセージを所定の領域にスクロールしてテロップ表示する。【選択図】図１
2017167764.tif 000002
【特許請求の範囲】
【請求項１】
情報提供装置から宿泊者ごとの端末装置へメッセージを提供する情報提供システムにおいて、
前記情報提供装置は、
予め設定された複数のメッセージの中から、宿泊者ごとに、当該宿泊者の宿泊者情報に対応するメッセージを特定するメッセージ特定部と、
前記特定されたメッセージを前記宿泊者の端末装置へ送信する送信部と
を有し、
前記端末装置は、
前記情報提供装置から送信されたメッセージを受信する受信部と、
前記受信されたメッセージを所定の領域にスクロールしてテロップ表示する表示部と
を有することを特徴とする情報提供システム。
【請求項２】
前記端末装置は、
前記宿泊者が前記端末装置に興味を示しているか否かを検出する検出部を更に有し、
前記表示部は、前記宿泊者が興味を示していることが検出された場合、前記テロップ表示を行っているメッセージを強調表示する
ことを特徴とする請求項１に記載の情報提供システム。
【請求項３】
前記検出部は、前記宿泊者が前記端末装置を把持しているか否かまたは前記宿泊者の視線が前記端末装置に向けられているか否かをもとに、前記端末装置に興味を示しているか否かを検出する
ことを特徴とする請求項２に記載の情報提供システム。
【請求項４】
前記強調表示は、前記テロップ表示を行っているメッセージを少なくとも１回繰り返して表示する
ことを特徴とする請求項２または３に記載の情報提供システム。
【請求項５】
前記送信部は、前記宿泊者情報に対応して特定されたメッセージと、当該特定されたメッセージとは別のメッセージとを前記端末装置へ送信し、
前記表示部は、前記宿泊者が興味を示していることが検出された際に前記受信されたメッセージの中で前記別のメッセージをテロップ表示している場合、前記特定されたメッセージへのテロップ表示に切り替える
ことを特徴とする請求項２乃至４のいずれか一項に記載の情報提供システム。
【請求項６】
予め設定された複数のメッセージの中から、宿泊者ごとに、当該宿泊者の宿泊者情報に対応するメッセージを特定するメッセージ特定部と、
前記特定されたメッセージを前記宿泊者の端末装置へ送信する送信部と
を有することを特徴とする情報提供装置。
【請求項７】
情報提供装置から送信されたメッセージを受信する受信部と、
前記受信されたメッセージを所定の領域にスクロールしてテロップ表示する表示部と、
宿泊者が前記端末装置に興味を示しているか否かを検出する検出部とを有し、
前記表示部は、前記宿泊者が興味を示していることが検出された場合、前記テロップ表示を行っているメッセージを強調表示する
ことを特徴とする端末装置。
【請求項８】
予め設定された複数のメッセージの中から、宿泊者ごとに、当該宿泊者の宿泊者情報に対応するメッセージを特定し、
前記特定されたメッセージを前記宿泊者の端末装置へ送信する
処理をコンピュータに実行させることを特徴とするプログラム。
【請求項９】
情報提供装置から送信されたメッセージを受信し、
前記受信されたメッセージを所定の領域にスクロールしてテロップ表示し、
宿泊者が端末装置に興味を示しているか否かを検出する処理をコンピュータに実行させ、
前記表示する処理は、前記宿泊者が興味を示していることが検出された場合、前記テロップ表示を行っているメッセージを強調表示する
ことを特徴とするプログラム。
【発明の詳細な説明】
【技術分野】
【０００１】
本発明の実施形態は、情報提供システム、情報提供装置、端末装置およびプログラムに関する。
【背景技術】
【０００２】
従来、ホテルなどのサービス業では、情報提供者（例えば、ホテルのフロント係）が情報提供システムを用いてクライアント（例えば、ホテルの宿泊者）に対して種々な情報提供を行っている。クライアント端末は、ポータル画面上の所定の領域（エリア）に情報提供者から通知された情報を表示してユーザへ通知する。例えば、情報提供者は、宿泊者がホテルを利用してくれたことへの御礼等をウエルカムメッセージとして通知する。
【先行技術文献】
【特許文献】
【０００３】
【特許文献１】特開２００４−２４８２３５号公報
【発明の概要】
【発明が解決しようとする課題】
【０００４】
特許文献１では、例えば防災案内、ウエルカムメッセージなどの伝達したい事柄を、主案内チャネル、情報チャネル−１…とチャネルで細分化して客室の受信装置に伝送する。宿泊者は受信装置のチャネルを選択し、選択したチャネルの視聴を行う技術が開示されている。
【０００５】
しかしながら、上記の従来技術では、宿泊者側はチャネルを選択して情報を選ぶことはできるが、提供される情報は宿泊者に関係なく固定的なものとなるという問題がある。
【０００６】
１つの側面では、宿泊者に応じた情報を提供することができる情報提供システム、情報提供装置、端末装置およびプログラムを提供することを目的とする。
【課題を解決するための手段】
【０００７】
第１の案では、情報提供装置から宿泊者ごとの端末装置へメッセージを提供する情報提供システムにおいて、情報提供装置は、メッセージ特定部と、送信部とを有し、端末装置は、受信部と、表示部とを有する。メッセージ特定部は、予め設定された複数のメッセージの中から、宿泊者ごとに、当該宿泊者の宿泊者情報に対応するメッセージを特定する。送信部は、特定されたメッセージを宿泊者の端末装置へ送信する。受信部は、情報提供装置から送信されたメッセージを受信する。表示部は、受信されたメッセージを所定の領域にスクロールしてテロップ表示する。
【発明の効果】
【０００８】
本発明の１実施態様によれば、宿泊者に応じた情報を提供することができる。
【図面の簡単な説明】
【０００９】
【図１】図１は、実施形態にかかる情報提供システムの機能構成例を示すブロック図である。
【図２】図２は、ポータル画面を説明する説明図である。
【図３】図３は、管理ＤＢのデータ構成例を説明する説明図である。
【図４】図４は、サーバ装置の動作例を説明するフローチャートである。
【図５】図５は、メッセージデータの一例を説明する説明図である。
【図６】図６は、クライアント端末の動作例を説明するフローチャートである。
【図７】図７は、メッセージの表示例を説明する説明図である。
【図８】図８は、クライアント端末の動作例を説明するフローチャートである。
【図９】図９は、情報処理装置のハードウエア構成を例示するブロック図である。
【発明を実施するための形態】
【００１０】
以下、図面を参照して、実施形態にかかる情報提供システム、情報提供装置、端末装置およびプログラムを説明する。実施形態において同一の機能を有する構成には同一の符号を付し、重複する説明は省略する。なお、以下の実施形態で説明する情報提供システム、情報提供装置、端末装置およびプログラムは、一例を示すに過ぎず、実施形態を限定するものではない。また、以下の各実施形態は、矛盾しない範囲内で適宜組みあわせてもよい。
【００１１】
図１は、実施形態にかかる情報提供システムの機能構成例を示すブロック図である。情報提供システム１は、例えばホテルのフロント係などの情報提供者が各クライアント（宿泊者１０）に対して種々な情報を提供するためのシステムである。図１に示すように、情報提供システム１は、クライアント端末２と、サーバ装置３と、管理端末４とを有する。クライアント端末２と、サーバ装置３と、管理端末４とは、例えば有線または無線のＬＡＮ（Local  Area  Network）などの通信ネットワーク（図示しない）を介して互いに通信可能に接続される。
【００１２】
クライアント端末２は、各宿泊者１０が用いる端末装置であり、ホテルのフロント係などの情報提供者によりサーバ装置３に設定され、サーバ装置３より通知された情報を受信して画面に表示することで宿泊者１０に対して種々な情報を提供する情報提供装置である。例えば、クライアント端末２は、ＰＣ（パーソナルコンピュータ）やタブレット端末などの情報処理装置（コンピュータ）を採用できる。例えば、クライアント端末２は、宿泊者１０の客室などに予め設置されている。なお、クライアント端末２については、客室に固定して使用するものに限定するものではなく、館内において持ち運んで使用するものであってもよい。本実施形態では、館内において持ち運んでの使用が可能なタブレット型のクライアント端末２を、例えばフロントでの手渡しにより宿泊者１０に提供するものとする。
【００１３】
サーバ装置３は、クライアント端末２および管理端末４をクライアント（ここでは宿泊者１０のクライアントと区別するため（Ｃ）を付ける）として収容する、いわゆるサーバである。一実施形態として、サーバ装置３には、ＰＣやＷＳ（ワークステーション）などの装置を採用できる。例えば、サーバ装置３は、クライアント端末２および管理端末４のクライアント（Ｃ）からのＨＴＴＰ（HyperText  Transfer  Protocol）による要求に対して各種情報を提供する。また、サーバ装置３は、双方向通信用の技術規格であるＷｅｂＳｏｃｋｅｔを用いてクライアント（Ｃ）との間で双方向通信を行い、例えばクライアント端末２の設定や状態の取得またはクライアント端末２へのメッセージ等の通知を行う。
【００１４】
管理端末４は、フロント係などの情報提供者や情報提供システム１を管理するＳＥ（システムエンジニア）などの管理者が用いる端末装置であり、例えばＰＣなどの情報処理装置である。管理端末４は、例えばＷｅｂブラウザをベースとした管理アプリケーションまたはＷｅｂコンソールによりサーバ装置３における所定のＵＲＬ（Uniform  Resource  Locator）へアクセスすることで、サーバ装置３が管理する情報の参照や、各種設定を行う。例えば、フロント係などが管理端末４を介して行うサーバ装置３の設定には、宿泊者１０についての情報の設定や、サーバ装置３よりクライアント端末２へ通知するメッセージ等の設定がある。
【００１５】
例えば、フロント係は、管理端末４を介してサーバ装置３の所定のＵＲＬへアクセスすることで、宿泊者１０についての情報をサーバ装置３に登録する。一例として、宿泊者１０の宿泊予約・チェックイン・チェックアウトを受け付けた場合、フロント係は、管理端末４を介してサーバ装置３の宿泊登録にかかるＵＲＬへアクセスし、宿泊登録の画面より宿泊者１０の情報を登録する。例えば、宿泊者１０の氏名、住所、宿泊回数、宿泊プラン、チェックイン時の天気などをサーバ装置３に登録する。
【００１６】
クライアント端末２は、制御部２０、記憶部２１、表示部２２およびセンサ部２３を有する。制御部２０は、クライアント端末２全体を制御するデバイスである。制御部２０としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部２０は、各種の処理手順を規定したプログラムや制御データを格納するための内部メモリを有し、これらによってサービスエージェント２０１、ポータルアプリ２０２、個別アプリ２０３ａ、２０３ｂ等のプログラムによる種々の処理を実行する。
【００１７】
サービスエージェント２０１は、例えば、バックグラウンドで稼動している常駐プログラムであり、サーバ装置３から送信される制御コマンドに対応するＵＲＬを、制御コマンドに対応するアプリケーションプログラムに指示する。例えば、記憶部２１に格納した情報をサーバ装置３へ送信するページのＵＲＬをポータルアプリ２０２に提供する。そして、ポータルアプリ２０２はＨＴＴＰプロトコルにより、記憶部２１に格納した情報を、管理部３０１を経由して管理ＤＢ３１１へ送信する。別の例として、サーバ装置３から送信される制御コマンドが、情報を送信するコマンドであった場合には、サービスエージェント２０１は、目的の情報をサーバ装置３からダウンロードするページのＵＲＬを対応するアプリケーションに提供する。そして、アプリケーションプログラムはＨＴＴＰプロトコルにより、管理部３０１を経由して管理ＤＢ３１１から情報を取得し、取得した情報を記憶部２１に格納する。このようにして、サービスエージェント２０１は、クライアント端末２とサーバ装置３との間で双方向のデータ通信を行う。一例として、サービスエージェント２０１は、双方向通信用の技術規格であるＷｅｂＳｏｃｋｅｔを用いてサーバ装置３をトリガとする双方向通信を行う。
【００１８】
例えば、サービスエージェント２０１は、サーバ装置３からの通知を受信すると、通知内容をポータルアプリ２０２、個別アプリ２０３ａ、２０３ｂなどに通知する。また、サービスエージェント２０１は、ポータルアプリ２０２、個別アプリ２０３ａ、２０３ｂなどからの送信指示に応じて、指示された内容をサーバ装置３へ通知する。
【００１９】
ポータルアプリ２０２は、例えばＷｅｂブラウザをベースとしたアプリケーションプログラムであり、宿泊者１０に対して各種サービスを提供するポータル画面を表示部２２に表示する。このポータル画面は、例えばＨＴＭＬ（HyperText  Markup  Language）のＷｅｂページで構成されており、記憶部２１に記憶された各種情報や、サービスエージェント２０１を介してサーバ装置３より通知されたメッセージなどの情報が表示される。
【００２０】
また、ポータル画面には、個別アプリ２０３ａ、２０３ｂの起動を、ローカルのＵＲＬ（Uniform  Resource  Locator）で指定したアイコンボタンが表示される。また、ポータル画面には、サーバ装置３において管理される情報（例えばメッセージの本文）の参照を、サーバ装置３のＵＲＬ（例えば具体的な参照先は引数などのパラメータで指定してもよい）で指定したアイコンボタンが表示される。また、ポータル画面は、サーバ装置３より通知されたメッセージをスクロールしてテロップ表示する表示領域を有する。このテロップ表示の表示領域には、サーバ装置３より通知されたテロップ用のメッセージが順次スクロールして表示される。
【００２１】
個別アプリ２０３ａ、２０３ｂで起動するアプリケーションプログラムの設定は、ローカルのＵＲＬから、アプリケーションプログラムに対応づけられたアイコンボタンを指定することにより設定され、指定されたアイコンボタンがポータル画面に表示される。また、サーバ装置３において管理される情報（例えばメッセージの本文）の通知は、サーバ装置３のＵＲＬ（例えば具体的な参照先は引数などのパラメータで指定してもよい）により指定されたアイコンボタンが表示されることでユーザに通知できる。
【００２２】
ポータルアプリ２０２は、ポータル画面において宿泊者１０によるセンサ部２３の操作などを受け付けて、操作に対応した処理結果を表示部２２に表示させる。例えば、個別アプリ２０３ａ、２０３ｂの起動を指示するアイコンボタンの操作を受け付けた場合、個別アプリ２０３ａ、２０３ｂを起動させることで、個別アプリ２０３ａ、２０３ｂの画面をディスプレイに表示させる。また、サーバ装置３において管理される情報の参照を指示するアイコンボタンの操作を受け付けた場合、サーバ装置３のＵＲＬにＨＴＴＰでアクセスして取得した情報（例えばメッセージの本文）をディスプレイに表示させる。
【００２３】
図２は、ポータル画面を説明する説明図である。図２に示すように、ポータル画面２２０は、メッセージ表示アイコン２２１、時計２２２、実行指示アイコン２２３、設定指示アイコン２２４およびテロップ表示領域２２５を有する。
【００２４】
メッセージ表示アイコン２２１は、サーバ装置３よりテロップ表示領域２２５にテロップ表示するメッセージとは別の通常のメッセージが通知されている場合に表示されるアイコンである。ポータルアプリ２０２は、通常のメッセージとして記憶部２１に格納されたデータがある場合、メッセージ表示アイコン２２１を表示する。メッセージ表示アイコン２２１は、メッセージのタイトル、内容などを記憶部２１より読み出して表示するメッセージ閲覧機能を有する個別アプリのランチャとなっている。
【００２５】
ポータルアプリ２０２では、メッセージ表示アイコン２２１の操作を受け付けることでメッセージ閲覧機能を有する個別アプリを起動して、サーバ装置３より通知されたメッセージのタイトル、内容などを画面に表示する。なお、クライアント端末２宛のメッセージがあることを示す通知が行われている場合（メッセージの内容や画像などのデータが記憶部２１に含まれておらず、サーバ装置３にある場合）、メッセージの内容や画像などがサーバ装置３から通知されていない。したがって、クライアント端末２宛のメッセージがあることを示す通知の場合には、クライアントの操作により、記憶部２１に格納されたメッセージＩＤをパラメータとしてサーバ装置３の所定のＵＲＬへアクセスし、メッセージの内容や画像のデータをサーバ装置３より取得して表示する。
【００２６】
なお、メッセージの内容や画像のデータの取得のタイミングは、クライアントの操作によるものには限らない。例えば、通信処理部３０２から送信される制御パケットをサービスエージェント２０１が受信し、サービスエージェント２０１が、メッセージの内容や画像のデータを取得するポータルアプリケーションプログラムを制御するようにしてもよい。制御が指示されたポータルアプリケーションプログラムは、サービスエージェント２０１から通知された所定のＵＲＬへアクセスし、サービスエージェント２０１を経由して管理ＤＢ３１１からメッセージの内容や画像のデータを取得し、記憶部２１に格納する。ポータルアプリケーションプログラムは参照可能なメッセージを記憶部２１に格納すると、メッセージがあることを示す表示を行う。そして、その表示に気づいたクライアントの操作によりメッセージを表示する個別アプリケーションプログラムが起動されて、記憶部２１に格納されたメッセージの内容や画像のデータを表示するようにしてもよい。
【００２７】
実行指示アイコン２２３は、アラーム機能、世界各地の現在時刻を表示する時計機能、テレビリモコン機能、インターネットの閲覧機能、各種案内コンテンツを表示する機能など、機能ごとに用意された個別アプリの実行を指示するアイコンである。例えば、客室設備避難経路などのコンテンツを表示する実行指示アイコン２２３が操作された場合には、対応する個別アプリ（例えば個別アプリ２０３ｂ）が実行される。個別アプリ２０３ｂは、サーバ装置３の所定のＵＲＬへアクセスし、サーバ装置３が管理するコンテンツを読み出して表示する。
【００２８】
設定指示アイコン２２４は、クライアント端末２の使用言語などの各種設定を指示するアイコンである。設定指示アイコン２２４は、言語などの各種設定機能を提供する個別アプリのランチャとなっている。ポータルアプリ２０２では、設定指示アイコン２２４の操作を受け付けることで各種設定を行う個別アプリを起動して使用言語などの各種設定を行う。また、各種設定を行う個別アプリにより設定された内容は、設定情報として記憶部２１などに格納される。クライアント端末２のユーザである宿泊者１０は、設定指示アイコン２２４を操作することで、クライアント端末２の使用言語などの各種設定を行うことができる。
【００２９】
テロップ表示領域２２５は、サーバ装置３より通知されたテロップ用のメッセージをスクロールして表示する領域である。ポータルアプリ２０２は、テロップ用のメッセージとして記憶部２１に格納された定義ファイル２１１がある場合に、定義ファイル２１１に含まれるテロップ用のメッセージ文を読み出す。次いで、ポータルアプリ２０２は、読み出したメッセージ文を、例えばテロップ表示領域２２５の右方向から左方向にスクロールしてテロップ表示する。
【００３０】
個別アプリ２０３ａ、２０３ｂは、時計機能、アラーム機能、テレビリモコン機能、通知されたメッセージの閲覧機能、インターネットの閲覧機能、言語などの各種設定機能など、機能ごとに用意されたアプリケーションプログラムである。個別アプリ２０３ａ、２０３ｂは、例えばポータルアプリ２０２のポータル画面上での指示や、サービスエージェント２０１を介したサーバ装置３からの通知に応じて起動され、各種機能を提供する。
【００３１】
例えば時計機能は、ホテルが所在する宿泊地の時刻だけでなく、宿泊者１０の自宅の時刻を合わせて表示する世界時計として機能するアプリケーションプログラムであってもよい。例えばアラーム機能は、起床時間を設定可能な目覚まし時計として機能するアプリケーションプログラムであってもよい。
【００３２】
例えばテレビリモコン機能は、客室に設置されたテレビの赤外線による制御信号が登録されており、登録された制御信号に対応する機能ボタンを表示し、機能ボタンの操作を受け付けると、対応づけられた制御信号を赤外線により発信するアプリケーションプログラムであってもよい。機能ボタンがチャンネルを表す機能ボタンである場合、電子番組表と共に表示したり、これから放送される番組情報と共に表示してもよい。
【００３３】
例えば通知されたメッセージの閲覧機能は、ホテルのフロント係が入力したメッセージが存在する場合に、ポータル画面２２０にメッセージの閲覧機能を機能させるメッセージ表示アイコン２２１が表示され、メッセージ表示アイコン２２１の操作を受け付けると、メッセージを表示するアプリケーションプログラムであってもよい。
【００３４】
例えばインターネットの閲覧機能は、ホテルが情報提供したいＵＲＬ毎に用意したそれぞれの機能ボタンがポータル画面２２０に表示され、機能ボタンの操作を受け付けると、対応するＵＲＬに用意された情報を表示するアプリケーションプログラムであってもよい。
【００３５】
例えば各種設定機能は、言語の切り替えなどの各種設定を連想させる機能ボタンがポータル画面２２０に表示され、機能ボタンの選択操作を受け付けると選択された設定を表示し、動作モードを選択された設定内容に対応するモードに切り替える設定アプリケーションプログラムであってもよい。
【００３６】
記憶部２１は、ハードディスク、ＳＳＤ（Solid  State  Drive）、光ディスクなどの記憶装置である。なお、記憶部２１は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。記憶部２１は、制御部２０で実行されるＯＳ（Operating  System）や、サービスエージェント２０１、ポータルアプリ２０２、個別アプリ２０３ａ、２０３ｂ等の各種プログラムを記憶する。さらに、記憶部２１は、各種プログラムなどが用いる各種情報を記憶する。例えば、記憶部２１は、メッセージ表示についての設定内容を示す定義ファイル２１１およびメッセージデータ２１２を記憶する。
【００３７】
定義ファイル２１１は、クライアント端末２におけるメッセージ表示についての定義内容が示されたファイルである。例えば、定義ファイル２１１の定義内容には、テロップ表示における表示態様があり、一例としては、テロップ表示する文字のサイズ、テロップ表示におけるスクロールの速度およびテロップ表示のループ回数などがある。また、定義ファイル２１１には、宿泊者１０がクライアント端末２に興味を示している状態を検出した場合における表示態様と、宿泊者１０がクライアント端末２に興味を示している状態を検出していない場合における表示態様とが区別して定義されている。この定義ファイル２１１の定義内容は、管理端末４からのコマンドをもとに事前に設定される（詳細は後述する）。
【００３８】
メッセージデータ２１２は、画面に表示するメッセージを識別するメッセージＩＤや、メッセージの内容などを有する。このメッセージデータ２１２については、サーバ装置３よりメッセージ用のデータとして通知されたものが記憶部２１に格納される（詳細は後述する）。
【００３９】
表示部２２は、ＬＣＤ（Liquid  Crystal  Display）などの表示装置であり、制御部２０の制御のもとポータル画面２２０などの表示を行う。センサ部２３は、クライアント端末２の状態を検出する各種センサであり、検出結果を制御部２０へ出力する。センサ部２３は、例えば姿勢センサ２３ａ、タッチセンサ２３ｂおよびカメラ２３ｃを適用できる。
【００４０】
姿勢センサ２３ａは、クライアント端末２の姿勢を検出する加速度センサなどである。制御部２０は、姿勢センサ２３ａの検出結果をもとに、クライアント端末２の姿勢変化を検出する。制御部２０は、例えば、クライアント端末２の姿勢変化を検出した場合に、宿泊者１０がクライアント端末２を持っている（把持している）状態と判定する。
【００４１】
タッチセンサ２３ｂは、クライアント端末２の筐体（例えば筐体背面など）に配設され、宿泊者１０がクライアント端末２を把持した際の接触を検出するセンサである。制御部２０は、タッチセンサ２３ｂの検出結果をもとに、例えば、宿泊者１０の接触を検出した場合に、宿泊者１０がクライアント端末２を持っている状態と判定する。
【００４２】
また、制御部２０は、姿勢センサ２３ａ、タッチセンサ２３ｂによる宿泊者１０がクライアント端末２を把持しているか否かの判定をもとに、宿泊者１０がクライアント端末２に対して興味を示しているか否かを検出する。例えば、制御部２０は、宿泊者１０がクライアント端末２を把持していると判定した場合に、宿泊者１０がクライアント端末２に対して興味を示していることを検出する。
【００４３】
カメラ２３ｃは、例えば表示部２２の表示画面の上部などに設置され、クライアント端末２の周囲を撮像するデジタルカメラである。制御部２０は、カメラ２３ｃの撮像画像をもとに、例えば、人の顔・視線を認識する認識技術を用いて撮像画像から宿泊者１０の視線（顔）を認識する。
【００４４】
また、制御部２０は、カメラ２３ｃの撮像画像による顔・視線認識により、宿泊者１０がクライアント端末２に対して興味を示しているか否かを検出する。例えば、制御部２０は、撮像画像から宿泊者１０の視線（顔）を認識した場合に、宿泊者１０がクライアント端末２に対して興味を示していることを検出する。
【００４５】
サーバ装置３は、制御部３０および記憶部３１を有する。制御部３０は、クライアント端末２の制御部２０と同様、サーバ装置３全体を制御するデバイスである。制御部３０は、各種の処理手順を規定したプログラムや制御データを格納するための内部メモリを有し、これらによって管理部３０１および通信処理部３０２の機能を実現する。
【００４６】
管理部３０１は、所定のＵＲＬへのクライアント端末２からのアクセスに応じて提供する客室設備避難経路などのコンテンツを管理する。具体的には、管理部３０１は、管理端末４のＷｅｂコンソールからのアクセスに応じて、コンテンツの新規登録、変更などのコンテンツ管理にかかるコンソール画面を出力する。次いで、管理部３０１は、Ｗｅｂコンソールより受け付けたコンソール画面の指示をもとに、コンテンツの新規登録、変更を受け付ける。次いで、管理部３０１は、コンソール画面より受け付けたコンテンツの新規登録、変更の内容を、管理ＤＢ３１１においてコンテンツごとの情報を管理するテーブル（図示しない）に反映する。また、管理部３０１は、コンテンツの表示を行う個別アプリ（例えば個別アプリ２０３ｂ）によるクライアント端末２からのアクセスに応じて、コンテンツごとの情報を管理するテーブルの内容を読み出し、クライアント端末２へ送信する。
【００４７】
例えば、管理部３０１は、宿泊者１０の宿泊予約・チェックイン・チェックアウト時などにおいて宿泊者１０についての情報をサーバ装置３に登録する宿泊登録の画面より、宿泊者１０の情報を受け付ける。次いで、管理部３０１は、受け付けた宿泊者１０の情報を管理ＤＢ３１１の宿泊者情報３１１ａに反映する。
【００４８】
なお、管理部３０１は、チェックインからチェックアウトまでのチェックイン中の宿泊者１０の情報を宿泊者情報３１１ａに格納し、チェックイン前またはチェックイン後の宿泊者１０の情報を管理ＤＢ３１１の顧客原簿（図示しない）に格納しているものとする。したがって、サーバ装置３では、宿泊者情報３１１ａを参照することでチェックイン中の宿泊者１０の情報を得ることができ、例えば、チェックイン中の宿泊者１０に対して各種情報を提供することができる。
【００４９】
また、管理部３０１は、宿泊者１０が宿泊する宿泊部屋（客室）にかかる情報を管理する。例えば、管理部３０１は、客室のクライアント端末２より識別情報（例えばタブレットＩＤ）とともに通知された設定またはステータスをもとに、管理ＤＢ３１１において識別情報ごとに管理されるクライアント端末２の設定またはステータスを更新する。
【００５０】
また、管理部３０１は、管理端末４より１または複数のクライアント端末２を宛先とするメッセージの登録を受け付けた場合、メッセージを識別する識別情報（例えばメッセージＩＤ）を発行し、受け付けたメッセージの情報を管理ＤＢ３１１のメッセージ情報３１１ｂに記録する。
【００５１】
また、管理部３０１は、メッセージ情報３１１ｂに設定された複数のメッセージの中から宿泊者情報３１１ａの宿泊者１０ごとに、宿泊者情報３１１ａに対応するメッセージを特定する。次いで、管理部３０１は、特定したメッセージを通信処理部３０２を介してクライアント端末２へ送信する（詳細は後述する）。
【００５２】
また、管理部３０１は、ＨＴＴＰを用いた所定のＵＲＬへのアクセスにおいて、パラメータなどでリクエストされた情報を提供するＡＰＩ（Application  Programming  Interface）として機能する。例えば、管理部３０１は、管理端末４からのポータル管理アプリのアクセスに応じて管理ＤＢ３１１においてクライアント端末２ごとに管理している各種情報を表示するポータル管理画面の表示データ（例えばＨＴＭＬ形式のデータ）を生成し、管理端末４へ出力する。
【００５３】
また、管理部３０１は、ポータル管理画面上での操作に対応するパラメータを管理端末４のポータル管理アプリより受け付けて、受け付けたパラメータに対応する処理を実行する。一例として、管理部３０１は、１または複数のクライアント端末２を宛先とするメッセージの登録を受け付ける。登録を受け付けたメッセージは、管理部３０１が管理ＤＢ３１１に登録する。また、管理部３０１は、設定やステータスの更新、初期化などのクライアント端末２に対する所定のコマンドを管理端末４より受け付ける。受け付けたコマンドは、通信処理部３０２へ渡されて、クライアント端末２への通知が行われる。管理端末４は、これらのコマンドにより、例えば定義ファイル２１１における定義内容を更新する。
【００５４】
通信処理部３０２は、クライアント端末２のサービスエージェント２０１と同様、例えば、バックグラウンドで稼動している常駐プログラムであり、クライアント端末２との間で双方向のデータ通信を行う。一例として、通信処理部３０２は、双方向通信用の技術規格であるＷｅｂＳｏｃｋｅｔを用いてクライアント端末２との間での双方向通信を行う。
【００５５】
例えば、通信処理部３０２は、クライアント端末２より通知された情報（クライアント端末２の識別情報やステータスなど）を受信して管理部３０１へ出力する。また、通信処理部３０２は、管理部３０１により管理ＤＢ３１１に登録されたメッセージを読み出して、メッセージの宛先に対応するクライアント端末２へ通知（送信）する。また、通信処理部３０２は、所定のコマンドのクライアント端末２への通知を管理部３０１を介して管理端末４より受け付けた場合に、受け付けたコマンドをクライアント端末２へ通知する。
【００５６】
記憶部３１は、ハードディスク、ＳＳＤ、光ディスクなどの記憶装置である。なお、記憶部３１は、ＲＡＭ、フラッシュメモリ、ＮＶＳＲＡＭなどのデータを書き換え可能な半導体メモリであってもよい。記憶部３１は、制御部３０で実行されるＯＳや、管理部３０１および通信処理部３０２の機能を提供するプログラムを記憶する。また、記憶部３１は、各クライアント端末２にかかる設定やステータス、各クライアント端末２に提供するコンテンツなどの各種情報を記憶する。また、記憶部３１は、各宿泊者１０についての宿泊者情報３１１ａおよびテロップ表示などを行うメッセージについてのメッセージ情報３１１ｂを有する管理ＤＢ３１１を記憶する。
【００５７】
図３は、管理ＤＢ３１１のデータ構成例を説明する説明図である。図３に示すように、管理ＤＢ３１１は、宿泊者情報３１１ａおよびメッセージ情報３１１ｂを有する。
【００５８】
宿泊者情報３１１ａは、宿泊者１０ごとの情報を示すテーブルなどである。宿泊者情報３１１ａには、宿泊者１０を識別する宿泊者番号ごとに、部屋番号、氏名、住所、宿泊回数、宿泊プラン、天気などの、宿泊者１０の属性を示す情報が記述されている。部屋番号は、宿泊者１０が宿泊する宿泊部屋（客室）を示す。この部屋番号は、例えばチェックイン時に登録される。宿泊回数は、宿泊者１０が施設に宿泊した回数を示す。この宿泊回数は、例えば顧客原簿などに記載された宿泊者１０の宿泊履歴をもとに求められる。宿泊プランは、予め用意された複数の宿泊プランの中から宿泊者１０が選択したプランを示す。この宿泊プランは、例えば宿泊予約時に登録される。天気は、宿泊者１０がチェックインした際の天気を示す。この天気は、チェックイン時にフロント係などが登録する。
【００５９】
なお、宿泊者情報３１１ａには、宿泊者１０が宿泊する客室の情報（例えば、フロア、客室名）や宿泊者１０が使用するクライアント端末２の情報（例えば、端末ＩＤ、ネットワークアドレス）が宿泊者番号または部屋番号などと関連付けられている。したがって、サーバ装置３では、宿泊者情報３１１ａを参照することで、宿泊者１０が宿泊する客室の場所や、宿泊者１０が使用するクライアント端末２のネットワークアドレスなどを特定することができる。
【００６０】
メッセージ情報３１１ｂは、クライアント端末２に通知するメッセージ（例えばテロップ用）ごとの設定内容を示すテーブルである。具体的には、メッセージ情報３１１ｂには、メッセージを識別するメッセージＩＤごとに、メッセージ（内容）、メッセージ種別、選択条件などの情報が記述されている。メッセージ種別は、館内の案内などを行う通常のメッセージ、宿泊者１０への歓迎（ウエルカム）のメッセージなどの、メッセージの種別を示す。選択条件は、メッセージを特定するための条件（例えば時間帯、天気、距離、宿泊回数、宿泊プランなど）を示す。
【００６１】
ここで、メッセージ情報３１１ｂに設定された複数のメッセージの中からメッセージを特定してクライアント端末２へ送信するサーバ装置３の処理の詳細を説明する。図４は、サーバ装置３の動作例を説明するフローチャートである。なお、このフローチャートに示される処理は、宿泊者情報３１１ａの宿泊者番号で示される宿泊者１０ごとに、送信対象の宿泊者１０についての処理が実行される。これにより、サーバ装置３は、宿泊者１０ごとに、送信対象とする宿泊者１０へのメッセージを特定し、宿泊者１０が使用するクライアント端末２へメッセージを送信する。
【００６２】
図４に示すように、処理が開始されると、管理部３０１は、管理ＤＢ３１１よりメッセージ情報３１１ｂを取得する（Ｓ１）。次いで、管理部３０１は、メッセージ情報３１１ｂにおいて、メッセージ種別が通常のメッセージの中から選択条件に対応するメッセージを送信するメッセージとして特定する（Ｓ２）。例えば、選択条件として所定の時間帯が設定されている場合には、現在時刻が設定されている時間帯にマッチするメッセージを送信するメッセージと特定する。
【００６３】
次いで、管理部３０１は、送信対象とする宿泊者１０についての宿泊者情報３１１ａを管理ＤＢ３１１より取得する（Ｓ３）。次いで、管理部３０１は、メッセージ情報３１１ｂにおいて、メッセージ種別がウエルカムのメッセージ（ウエルカムメッセージ）を抽出する。次いで、管理部３０１は、抽出したウエルカムメッセージの中から選択条件が送信対象の宿泊者情報３１１ａにマッチするウエルカムメッセージを送信するメッセージとして特定する（Ｓ４）。
【００６４】
例えば、選択条件として所定の天気が設定されている場合には、送信対象の宿泊者情報３１１ａに設定されている天気が選択条件として設定されている天気とマッチするウエルカムメッセージを送信するメッセージとして特定する。距離、宿泊回数、宿泊プランなどの選択条件についても同様に、宿泊者情報３１１ａに設定されているものとマッチするウエルカムメッセージを送信するメッセージとして特定する。これにより、送信対象の宿泊者１０についての宿泊者情報３１１ａに対応するウエルカムメッセージが特定されることとなる。
【００６５】
次いで、管理部３０１は、Ｓ２、Ｓ４において送信するメッセージとして特定したメッセージを、送信対象の宿泊者１０が使用するクライアント端末２に通信処理部３０２を介して送信する（Ｓ５）。具体的には、管理部３０１は、送信対象の宿泊者１０の宿泊者情報３１１ａに関連付けられているクライアント端末２のネットワークアドレスを管理ＤＢ３１１より読み出し、このネットワークアドレス宛に特定したメッセージのメッセージ内容およびメッセージ種別などのメッセージ情報を送信する。クライアント端末２のサービスエージェント２０１は、サーバ装置３より送信されたメッセージ情報をメッセージデータ２１２として記憶部２１に格納する。
【００６６】
図５は、メッセージデータ２１２の一例を説明する説明図である。図５に示すように、メッセージデータ２１２には、サーバ装置３よりメッセージ情報３１１ｂに含まれるメッセージの中から特定され、送信されたメッセージの内容およびメッセージ種別が格納されている。例えば、ウエルカムメッセージについては、選択条件が送信対象の宿泊者情報３１１ａにマッチするものがサーバ装置３より送信され、メッセージデータ２１２に格納されている。また、メッセージデータ２１２には、ウエルカムメッセージについてループ表示を行ったか否かを示すフラグが格納されている。たとえば、ループ表示を行ったメッセージには「済」のフラグが格納されている。
【００６７】
なお、送信対象の宿泊者情報３１１ａに対応するメッセージの特定を行うメッセージの種別はウエルカムに限定しない。例えば、上記の処理のように、ウエルカムメッセージの中から選択条件が送信対象の宿泊者情報３１１ａに対応するメッセージを特定してもよいし、通常のメッセージの中から選択条件が送信対象の宿泊者情報３１１ａに対応するメッセージを送信するメッセージと特定してもよい。
【００６８】
以上のように、サーバ装置３は、送信対象とする宿泊者１０の宿泊者情報３１１ａに対応するメッセージ（例えばウエルカムメッセージ）を特定し、特定したメッセージを宿泊者１０が使用するクライアント端末２に対して送信する。これにより、サーバ装置３は、宿泊者１０に応じた情報を宿泊者１０に対して提供することができる。
【００６９】
次に、クライアント端末２におけるメッセージ表示（テロップ表示領域２２５へのテロップ表示）の動作内容の詳細について説明する。図６は、クライアント端末２の動作例を示すフローチャートであり、テロップ表示にかかる動作例を説明する図である。
【００７０】
図６に示すように、ポータルアプリ２０２の起動により処理が開始されると、ポータルアプリ２０２は、ポータル画面２２０の表示を開始する。次いで、ポータルアプリ２０２は、メッセージデータ２１２よりテロップ表示領域２２５にテロップ表示するメッセージデータ（ｉ）の読み出しを行う（Ｓ１０）。なお、ｉは、メッセージデータ２１２に含まれる複数のメッセージの中のｉ番目のメッセージを示すものとする。この読み出しにより、ポータルアプリ２０２は、ｉ番目においてテロップ表示するメッセージの設定内容（メッセージおよびメッセージ種別）を取得する。
【００７１】
次いで、ポータルアプリ２０２は、読み出したメッセージデータ（ｉ）をもとに、テロップ表示領域２２５にメッセージ（ｉ）のテロップ表示を行う（Ｓ１１）。次いで、制御部２０は、センサ部２３の検出結果をもとに、クライアント端末２の状態を取得し（Ｓ１２）、取得したクライアント端末２の状態を特定する（Ｓ１３）。
【００７２】
具体的には、制御部２０は、姿勢センサ２３ａまたはタッチセンサ２３ｂの検出結果をもとに、宿泊者１０がクライアント端末２を「持っている状態」であるか否かを特定する。また、制御部２０は、カメラ２３ｃの撮像画像をもとに、宿泊者１０の視線（顔）がクライアント端末２の方を向いた状態である視線（顔）認識であるか否かを特定する。また、制御部２０は、宿泊者１０がクライアント端末２を「持っている状態」または宿泊者１０の視線（顔）認識を検出した状態である、宿泊者１０がクライアント端末２に対して興味を示している状態を特定する。
【００７３】
次いで、ポータルアプリ２０２は、Ｓ１３の特定結果をもとに、宿泊者１０がクライアント端末２を「持っている状態」であるか否かを判定する（Ｓ１４）。なお、このＳ１４の判定は、宿泊者１０の視線（顔）認識を検出した状態であるか否かの判定であってもよい。また、Ｓ１４の判定は、宿泊者１０がクライアント端末２を「持っている状態」または宿泊者１０の視線（顔）認識を検出した状態である、宿泊者１０がクライアント端末２に対して興味を示している状態であるか否かの判定であってもよい。
【００７４】
Ｓ１４において肯定（ＹＥＳ）判定の場合、ポータルアプリ２０２は、テロップ表示領域２２５においてテロップ表示しているメッセージ（ｉ）を、数回繰り返して強調するループ表示する（Ｓ１５）。Ｓ１４において否定（ＮＯ）判定の場合、ポータルアプリ２０２は、ループ表示によるメッセージ（ｉ）の強調表示を行うことなく、Ｓ１７へ処理を進める。
【００７５】
このループ表示は、定義ファイル２１１の定義内容に基づく回数で行われるものとする。なお、メッセージ（ｉ）の強調表示は、ループ表示に限定しない。例えば、強調表示は、定義ファイル２１１の定義内容に基づいた文字サイズの変更やスクロール速度の変更など、他の表示態様とするものであってもよい。
【００７６】
Ｓ１５に次いで、ポータルアプリ２０２は、メッセージ（ｉ）のループ表示を定義ファイル２１１に基づく回数行うことで、ループ表示を終了するか否かを判定する（Ｓ１６）。ループ表示を終了しない場合（Ｓ１６：ＮＯ）、定義ファイル２１１に基づく回数分のループ表示を行うために、ポータルアプリ２０２はＳ１５へ処理を戻す。
【００７７】
ループ表示を終了する場合（Ｓ１６：ＹＥＳ）、ポータルアプリ２０２は、次のメッセージをテロップ表示するためにｉをインクリメントし（Ｓ１７）、Ｓ１０へ処理を戻す。
【００７８】
図７は、メッセージの表示例を説明する説明図である。図７において、ケースＣ１は、クライアント端末２がテーブルなどに置かれている状態である。また、ケースＣ２は、宿泊者１０がクライアント端末２を持っている状態である。
【００７９】
図７に示すように、ケースＣ１では、クライアント端末２がテーブルなどに置かれており、宿泊者１０がクライアント端末２に対して興味を示している状態ではないことから、テロップ表示領域２２５にはメッセージデータ２１２のメッセージＭ１が順次テロップ表示される。これに対し、ケースＣ２では、宿泊者１０がクライアント端末２を持っており、宿泊者１０がクライアント端末２に対して興味を示している状態であることから、テロップ表示中のメッセージＭ２が繰り返し強調して表示される。これにより、宿泊者１０がクライアント端末２に対して興味を示している状態では、繰り返しの強調表示により、宿泊者１０に対するメッセージの訴求効果を高めることができる。
【００８０】
ここで、上述したクライアント端末２の動作の変形例を説明する。この変形例は、宿泊者１０がクライアント端末２に対して興味を示している状態において、通常のメッセージよりもウエルカムメッセージを優先して強調表示することで、宿泊者１０に対するウエルカムメッセージの訴求効果を高める。
【００８１】
図８は、クライアント端末２の動作例を説明するフローチャートであり、具体的には変形例にかかるクライアント端末２の動作例を示すものである。図８に示すように、変形例では、図６の動作例にＳ１８〜Ｓ２３の処理を追加している。
【００８２】
具体的には、Ｓ１４において肯定（ＹＥＳ）判定の場合、ポータルアプリ２０２は、メッセージ（ｉ）のメッセージ種別がウエルカムメッセージであるか否かを判定する（Ｓ１８）。ウエルカムメッセージである場合（Ｓ１８：ＹＥＳ）、ポータルアプリ２０２は、Ｓ２２へ処理を進める。
【００８３】
ウエルカムメッセージでない場合（Ｓ１８：ＮＯ）、ポータルアプリ２０２は、メッセージデータ２１２のループ表示フラグを参照し、ウエルカムメッセージをループ表示済みであるか否かを判定する（Ｓ１９）。ウエルカムメッセージをループ表示済みでない場合（Ｓ１９：ＮＯ）、メッセージ（ｉ）が通常のメッセージであり、ウエルカムメッセージをループ表示済みでないことから、ポータルアプリ２０２は、メッセージデータ２１２よりウエルカムメッセージを読み出す。次いで、ポータルアプリ２０２は、読み出したウエルカムメッセージをメッセージ（ｉ）と置換えて、テロップ表示領域２２５にメッセージ（ｉ）のテロップ表示を行い（Ｓ１９）、Ｓ１５へ処理を進める。これにより、通常のメッセージからウエルカムメッセージへの切り替えが行われて、切り替え後のウエルカムメッセージがループ表示されることとなる。
【００８４】
ウエルカムメッセージをループ表示済みである場合（Ｓ１９：ＹＥＳ）、ポータルアプリ２０２は、メッセージ（ｉ）をループせずにテロップ表示し（Ｓ２１）、Ｓ１７へ処理を進める。
【００８５】
Ｓ２２において、ポータルアプリ２０２は、メッセージデータ２１２のループ表示フラグを参照し、ウエルカムメッセージをループ表示済みであるか否かを判定する。ウエルカムメッセージをループ表示済みである（Ｓ２２：ＹＥＳ）、ポータルアプリ２０２はＳ１７へ処理を進める。ウエルカムメッセージをループ表示済みでない場合（Ｓ２２：ＮＯ）、ポータルアプリ２０２は、Ｓ１５へ処理を進める。
【００８６】
Ｓ１５に次いで、ポータルアプリ２０２は、Ｓ１５においてループ表示したメッセージ（ｉ）について、メッセージデータ２１２におけるループ表示フラグを「未」→「済」に更新し（Ｓ２３）、Ｓ１６へ処理を進める。
【００８７】
以上のように、クライアント端末２は、サーバ装置３からのメッセージデータ２１２を順次読み出してテロップ表示領域２２５にスクロールしてテロップ表示する。また、クライアント端末２は、センサ部２３の検出結果をもとに、宿泊者１０がクライアント端末２に興味を示しているか否かを検出する。また、クライアント端末２は、宿泊者１０がクライアント端末２に興味を示していることが検出された場合、テロップ表示を行っているメッセージをループして強調表示する。これにより、クライアント端末２は、宿泊者１０がクライアント端末２に対して興味を示している状態において、宿泊者１０に対するメッセージの訴求効果を高めることができる。
【００８８】
ところで、上記の実施形態で説明したクライアント端末２、サーバ装置３および管理端末４における各種の処理は、予め用意されたプログラムをコンピュータ（情報処理装置）で実行することで実現できる。そこで、以下では、上記の実施形態と同様の機能を有するプログラムを実行するコンピュータ（ハードウエア）の一例を説明する。図９は、情報処理装置のハードウエア構成を例示するブロック図である。
【００８９】
図９に示すように、情報処理装置１００は、各種演算処理を実行するＣＰＵ１０１と、データ入力を受け付ける入力装置１０２と、モニタ１０３と、スピーカ１０４とを有する。また、情報処理装置１００は、記憶媒体からプログラム等を読み取る媒体読取装置１０５と、各種装置と接続するためのインタフェース装置１０６と、有線または無線により外部機器と通信接続するための通信装置１０７とを有する。また、情報処理装置１００は、各種情報を一時記憶するＲＡＭ１０８と、ハードディスク装置１０９とを有する。また、情報処理装置１００内の各部（１０１〜１０９）は、バス１１０に接続される。
【００９０】
ハードディスク装置１０９には、例えば、クライアント端末２におけるサービスエージェント２０１、ポータルアプリ２０２、個別アプリ２０３ａ、２０３ｂやサーバ装置３における管理部３０１、通信処理部３０２などと同様の機能を有するプログラムが記憶される。また、ハードディスク装置１０９には、プログラムを実現するための各種データが記憶される。入力装置１０２は、例えば情報処理装置１００の操作者から操作情報の入力を受け付ける。モニタ１０３は、例えば操作者が操作する各種画面を表示する。インタフェース装置１０６は、例えば印刷装置等が接続される。通信装置１０７は、ＬＡＮ等の通信ネットワークと接続され、通信ネットワークを介した外部機器との間で各種情報をやりとりする。
【００９１】
ＣＰＵ１０１は、ハードディスク装置１０９に記憶された各プログラムを読み出して、ＲＡＭ１０８に展開して実行することで、各種の処理を行う。また、これらのプログラムは、例えば、クライアント端末２におけるサービスエージェント２０１、ポータルアプリ２０２、個別アプリ２０３ａ、２０３ｂやサーバ装置３における管理部３０１、通信処理部３０２の機能を実現する。
【００９２】
なお、上記のプログラムは、必ずしもハードディスク装置１０９に記憶されている必要はない。例えば、情報処理装置１００が読み取り可能な記憶媒体に記憶されたプログラムを、情報処理装置１００が読み出して実行するようにしてもよい。情報処理装置１００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ（Local  Area  Network）等に接続された装置にこのプログラムを記憶させておき、情報処理装置１００がこれらからプログラムを読み出して実行するようにしてもよい。
【符号の説明】
【００９３】
１…情報提供システム
２…クライアント端末
３…サーバ装置
４…管理端末
１０…宿泊者
２０…制御部
２１…記憶部
２２…表示部
２３…センサ部
２３ａ…姿勢センサ
２３ｂ…タッチセンサ
２３ｃ…カメラ
３０…制御部
３１…記憶部
１００…情報処理装置
２０１…サービスエージェント
２０２…ポータルアプリ
２０３ａ、２０３ｂ…個別アプリ
２１１…定義ファイル
２１２…メッセージデータ
２２０…ポータル画面
２２１…メッセージ表示アイコン
２２２…時計
２２３…実行指示アイコン
２２４…設定指示アイコン
２２５…テロップ表示領域
３０１…管理部
３０２…通信処理部
３１１…管理ＤＢ
３１１ａ…宿泊者情報
３１１ｂ…メッセージ情報
Ｃ１、Ｃ２…ケース
Ｍ１、Ｍ２…メッセージ
【図１】
2017167764.tif 000003
【図２】
2017167764.tif 000004
【図３】
2017167764.tif 000005
【図４】
2017167764.tif 000006
【図５】
2017167764.tif 000007
【図６】
2017167764.tif 000008
【図７】
2017167764.tif 000009
【図８】
2017167764.tif 000010
【図９】
2017167764.tif 000011